(57)【特許請求の範囲】
【請求項１】
ユーザ装置（ＵＥ）であって、
前記ＵＥが第１の無線リンクを介し通信接続するセカンダリｅｖｏｌｖｅｄ  ＮｏｄｅＢ（ＳｅＮＢ）からの第１のダウンリンク（ＤＬ）信号を処理し、前記ＵＥが第２の無線リンクを介し通信接続するマスタｅｖｏｌｖｅｄ  ＮｏｄｅＢ（ＭｅＮＢ）からの第２のＤＬ信号を処理し、前記第１の無線リンク及び前記第２の無線リンクは、デュアルコネクティビティネットワークにおいて少なくとも部分的に時間が重複する無線リンクである、通信インタフェースと、
前記通信インタフェースに接続され、前記第１の無線リンク及び前記第１のＤＬ信号に関連し、前記第２の無線リンク及び前記第２のＤＬ信号に関連する第２の無線リンクモニタリング（ＲＬＭ）パラメータと異なる第１のＲＬＭパラメータに基づき、前記第１の無線リンクに関連する品質パラメータの第１の通知を生成する無線リソース制御（ＲＲＣ）回路と、
を有し、
前記第１のＲＬＭパラメータは、前記第１の無線リンクに関連する第１のタイマの値であり、前記第２のＲＬＭパラメータは、前記第２の無線リンクに関連する第２のタイマの値であり、前記第１のタイマは前記第２のタイマと異なるユーザ装置。
【請求項２】
前記ＳｅＮＢは、第１のセルカバレッジエリアを有し、前記ＭｅＮＢは、前記第１のセルカバレッジエリアと少なくとも部分的に異なる第２のセルカバレッジエリアを有する、請求項１記載のＵＥ。
【請求項３】
前記第１の通知を前記ＳｅＮＢに送信する送信回路を更に有する、請求項１又は２記載のＵＥ。
【請求項４】
前記通知は、前記ＳｅＮＢによって前記ＭｅＮＢに送信される、請求項３記載のＵＥ。
【請求項５】
前記通信インタフェースは更に、前記第２の無線リンクを介し前記ＭｅＮＢから、前記第１の通知に基づくＲＲＣメッセージを受信する、請求項３記載のＵＥ。
【請求項６】
前記第１の無線リンクに関連する品質パラメータは、チャネル品質インジケータ（ＣＱＩ）パラメータである、請求項１又は２記載のＵＥ。
【請求項７】
前記ＲＲＣ回路に接続される不揮発性メモリ（ＮＶＭ）を更に有する、請求項１又は２記載のＵＥ。
【請求項８】
第１の無線リンクと第２の無線リンクとが時間において少なくとも部分的に重複するように、デュアルコネクティビティネットワークにおいて前記第１の無線リンクを介しセカンダリｅｖｏｌｖｅｄ  ＮｏｄｅＢ（ＳｅＮＢ）及び前記第２の無線リンクを介しマスタｅｖｏｌｖｅｄ  ＮｏｄｅＢ（ＭｅＮＢ）と同時に通信接続するユーザ装置（ＵＥ）のプロセッサに、
前記ＳｅＮＢからの第１のダウンリンク（ＤＬ）信号と、前記ＭｅＮＢからの第２のＤＬ信号とを特定させ、
前記第１の無線リンク及び前記第１のＤＬ信号に関連し、前記第２の無線リンク及び前記第２のＤＬ信号に関連する第２のＲＬＭパラメータと異なる第１の無線リンクモニタリング（ＲＬＭ）パラメータに基づき、前記第１の無線リンクに関連する品質パラメータの通知を生成させる指令であって、
前記第１のＲＬＭパラメータは、前記第１の無線リンクに関連する第１のタイマの値であり、前記第２のＲＬＭパラメータは、前記第２の無線リンクに関連する第２のタイマの値であり、前記第１のタイマは前記第２のタイマと異なる指令。
【請求項９】
前記ＳｅＮＢは、第１のセルカバレッジエリアを有し、前記ＭｅＮＢは、前記第１のセルカバレッジエリアと少なくとも部分的に異なる第２のセルカバレッジエリアを有する、請求項８記載の指令。
【請求項１０】
前記指令は更に、前記通知を前記ＳｅＮＢに送信させる、請求項８又は９記載の指令。
【請求項１１】
前記通知は、前記ＳｅＮＢによって前記ＭｅＮＢに送信される、請求項１０記載の指令。
【請求項１２】
前記指令は更に、前記ＭｅＮＢから前記通知に基づく無線リソース制御（ＲＲＣ）メッセージを受信させる、請求項１０記載の指令。
【請求項１３】
前記第１の無線リンクに関連する品質パラメータは、チャネル品質インジケータ（ＣＱＩ）パラメータである、請求項８又は９記載の指令。
【請求項１４】
ユーザ装置（ＵＥ）回路であって、
ＵＥが第１の無線リンクを介し通信接続するセカンダリｅｖｏｌｖｅｄ  ＮｏｄｅＢ（ＳｅＮＢ）からの第１のダウンリンク（ＤＬ）信号を処理し、
前記ＵＥが第２の無線リンクを介し通信接続するマスタｅｖｏｌｖｅｄ  ＮｏｄｅＢ（ＭｅＮＢ）からの第２のＤＬ信号を処理し、前記第１の無線リンク及び前記第２の無線リンクはデュアルコネクティビティネットワークにおいて少なくとも部分的に時間が重複する無線リンクであり、
前記第１の無線リンク及び前記第１のＤＬ信号に関連し、前記第２の無線リンク及び前記第２のＤＬ信号に関連する第２の無線リンクモニタリング（ＲＬＭ）パラメータと異なる第１のＲＬＭパラメータに基づき、前記第１の無線リンクに関連する品質パラメータの第１の通知を生成し、
前記第１のＲＬＭパラメータは、前記第１の無線リンクに関連する第１のタイマの値であり、前記第２のＲＬＭパラメータは、前記第２の無線リンクに関連する第２のタイマの値であり、前記第１のタイマは前記第２のタイマと異なるＵＥ回路。
【請求項１５】
前記ＳｅＮＢは、第１のセルカバレッジエリアを有し、前記ＭｅＮＢは、前記第１のセルカバレッジエリアと少なくとも部分的に異なる第２のセルカバレッジエリアを有する、請求項１４記載のＵＥ回路。
【請求項１６】
前記ＵＥ回路は更に、前記第１の通知を前記ＳｅＮＢに送信する、請求項１４又は１５記載のＵＥ回路。
【請求項１７】
前記通知は、前記ＳｅＮＢによって前記ＭｅＮＢに送信される、請求項１６記載のＵＥ回路。
【請求項１８】
前記ＵＥ回路は更に、前記第２の無線リンクを介し前記ＭｅＮＢから前記第１の通知に基づくＲＲＣメッセージを受信する、請求項１６記載のＵＥ回路。
【請求項１９】
前記第１の無線リンクに関連する品質パラメータは、チャネル品質インジケータ（ＣＱＩ）パラメータである、請求項１４又は１５記載のＵＥ回路。
【請求項２０】
請求項８乃至１３何れか一項記載の指令を記憶するためのコンピュータ可読記憶媒体。
【発明の詳細な説明】
【技術分野】
【０００１】
本出願は、その開示の全体がこれによって参照することにより全体に援用される、“Ａｄｖａｎｃｅｄ  Ｗｉｒｅｌｅｓｓ  Ｃｏｍｍｕｎｉｃａｔｉｏｎ  Ｓｙｓｔｅｍｓ  ａｎｄ  Ｔｅｃｈｎｉｑｕｅｓ”という名称の２０１３年１１月２７日に出願された米国仮特許出願第６１／９０９，９３８号に対する優先権を主張する“ＲＡＤＩＯ  ＬＩＮＫ  ＭＯＮＩＴＯＲＩＮＧ”という名称の２０１４年９月２６日に出願された米国特許出願第１４／４９８９９３号に対する優先権を主張する。
【０００２】
本発明の実施例は、一般にデュアルコネクティビティネットワークにおける無線リンクモニタリングの技術分野に関する。
【背景技術】
【０００３】
ここに提供される背景説明は、開示のコンテクストを一般的に提示するためのものである。現在指定されている発明者の作業は、当該背景セクションに説明される程度まで、出願時に従来技術としての適正がないかもしれない説明の側面と共に、本開示に対して従来技術として明示的又は暗黙的に自認されるものでない。ここで指摘されない場合、本セクションにおいて説明されるアプローチは、本開示における請求項に対する従来技術でなく、当該セクションに含めることによって従来技術として自認されるものでない。
【０００４】
デュアルコネクティビティネットワークは、ユーザ装置（ＵＥ）が複数のセルサイトを同時に接続可能なネットワークである。セルサイトは、ｅｖｏｌｖｅｄ  ＮｏｄｅＢ（ｅＮＢ）であるとみなされてもよい。ＵＥが２つ（又はそれ以上）のｅＮＢに接続するとき、それは同時に双方のｅＮＢからデータを受信する。実施例では、ｅＮＢの１つは、無線リソース制御（ＲＲＣ）エンティティを有するマスタｅＮＢ（ＭｅＮＢ）とみなされる。ｅＮＢの他方は、ＲＲＣエンティティを有さないセカンダリｅＮＢ（ＳｅＮＢ）とみなされる。ＵＥは、ＭｅＮＢ−ＵＥ無線リンクを介しＭｅＮＢと接続され、ＵＥは、ｅＮＢ−ＵＥ無線リンクを介しＳｅＮＢと接続される。いくつかのケースでは、ＵＥは、ＳｅＮＢ−ＵＥ無線リンクの品質をモニタリングするよう構成されていないかもしれない。
【図面の簡単な説明】
【０００５】
実施例が、添付図面と共に以下の詳細な説明によって容易に理解されるであろう。本説明を容易にするため、同様の参照番号は同様の構成要素を示す。実施例は、添付図面の図において限定的でなく例示的に説明される。
【図１】図１は、各種実施例によるＵＥ及びｅＮＢを有するネットワークのハイレベルな具体例を概略的に示す。
【図２】図２は、各種実施例によるＵＥ、ＳｅＮＢ及びＭｅＮＢを有するネットワークのハイレベルな具体例を概略的に示す。
【図３】図３は、各種実施例によるＳｅＮＢにより実行されるＳｅＮＢ−ＵＥ無線リンクをモニタリングする処理を示す。
【図４】図４は、各種実施例によるＭｅＮＢにより実行されるＳｅＮＢ−ＵＥ無線リンクをモニタリングする処理を示す。
【図５】図５は、各種実施例によるＵＥにより実行されるＳｅＮＢ−ＵＥ無線リンクをモニタリングする処理を示す。
【図６】図６は、ここに説明される各種実施例を実施するのに利用される一例となるシステムを概略的に示す。
【発明を実施するための形態】
【０００６】
実施例では、装置、方法及び記憶媒体が、デュアルコネクティビティについて設定された無線通信ネットワークにおいてＳｅＮＢとＵＥとの間の無線リンクのチャネル品質をモニタリングするのに説明される。実施例では、ＵＥは、ＳｅＮＢ−ＵＥ無線リンクのチャネル品質の１つ以上の通知を生成し、当該通知をＳｅＮＢに転送する。当該通知に基づき、ＵＥは、ＳｅＮＢ−ＵＥ無線リンクに関連するＲＲＣメッセージをＭｅＮＢから受信する。
【０００７】
実施例では、当該通知は、ＳｅＮＢ−ＵＥ無線リンクに関連する１つ以上の無線リンクモニタリング（ＲＬＭ）パラメータに基づくものであってもよい。いくつかの実施例では、ＳｅＮＢ−ＵＥ無線リンクに関連するＲＬＭパラメータは、ＭｅＮＢ−ＵＥ無線リンクに関連するＲＬＭパラメータと異なるものであってもよい。いくつかの実施例では、当該通知は、ＵＥにより測定された１つ以上のチャネル品質インジケータＣＱＩ値に関連してもよい。いくつかの実施例では、ＣＱＩ値は、ＣＱＩ値とチャネル品質閾値とを比較するＳｅＮＢに報告されてもよい。いくつかの実施例では、ＳｅＮＢは、ＭｅＮＢとの比較結果の通知を送信してもよい。他の実施例では、ＳｅＮＢは、ＣＱＩ値とチャネル品質閾値との比較を実行するＭｅＮＢにＣＱＩ値を転送してもよい。
【０００８】
以下の詳細な説明では、同様の数字が同様のパーツを全体を通じて示し、実施可能な実施例が例示的に示されるここでの一部を構成する添付図面が参照される。他の実施例が利用されてもよく、本開示の範囲から逸脱することなく構成的又は論理的変更が行われてもよいことが理解されるべきである。従って、以下の詳細な説明は限定的な意味でとられるべきでない。
【０００９】
各種処理が、請求される主題を理解するのに最も役立つ方法によって、以下の複数の離散的アクション又は処理として説明されてもよい。しかしながら、説明の順序は、これらの処理が必ずしも順序に依存していることを意味するものとして解釈されるべきでない。特に、これらの処理は提示の順序で実行されなくてもよい。説明される処理は、説明される実施例と異なる順序で実行されてもよい。各種の更なる処理が実行されてもよく、及び／又は説明される処理は更なる実施例では省略されてもよい。
【００１０】
本開示の目的のため、“Ａ及び／又はＢ”は（Ａ）、（Ｂ）又は（Ａ及びＢ）を意味する。本開示の目的のため、“Ａ，Ｂ及び／又はＣ”は、（Ａ）、（Ｂ）、（Ｃ）、（Ａ及びＢ）、（Ａ及びＣ）、（Ｂ及びＣ）又は（Ａ，Ｂ及びＣ）を意味する。
【００１１】
当該説明は、同一の又は異なる実施例の１つ以上をそれぞれが参照するフレーズ“実施例では”を利用しうる。さらに、本開示の実施例に関連して用いられる“有する”、“含む”などの用語は同義的である。
【００１２】
ここに説明されるように、“モジュール”という用語は、システムの１つ以上の物理的又は論理的コンポーネント又は要素を参照するのに利用されてもよい。いくつかの実施例では、モジュールは個別の回路であってもよく、他の実施例では、モジュールは複数の回路を有してもよい。
【００１３】
図１は、各種実施例による無線通信ネットワーク１００（以降、“ネットワーク１００”）を概略的に示す。ネットワーク１００は、ｅＮＢ１０５と通信接続されるＵＥ１１０を有する。実施例では、ネットワーク１００は、第三世代パートナーシッププロジェクト（３ＧＰＰ）のロング・ターム・エボリューション（ＬＴＥ）、ＬＴＥ  Ａｄｖａｎｃｅｄ（ＬＴＥ−Ａ）及び／又はＬＴＥ−Ｕｎｌｉｃｅｎｓｅｄ（ＬＴＥ−Ｕ）ネットワークであってもよい。他の実施例では、ネットワーク１００は、他のタイプの無線通信ネットワークであってもよい。
【００１４】
図１に示されるように、ＵＥ１１０は、マルチモード送受信チップとも呼ばれる送受信モジュール１３０を有する。送受信モジュール１３０は、ＬＴＥ、ＬＴＥ−Ａ及び／又はＬＴＥ−Ｕプロトコルなどの１つ以上のプロトコルを利用して、信号を送受信するよう構成される。具体的には、送受信モジュール１３０は、ｅＮＢ１０５又は他のＵＥなどのネットワーク１００の他のコンポーネント無線通信するため、ＵＥ１１０の複数のアンテナ１２５の１つ以上と接続される。アンテナ１２５は、図１に示されるように、送受信モジュール１３０のコンポーネントであってもよいし、又は送受信モジュール１３０と分離されているが、接続されるパワーアンプ１３５によって電力供給される。一実施例では、パワーアンプ１３５は、アンテナ１２５による全ての送信のための電力を提供する。他の実施例では、ＵＥ１１０上に複数のパワーアンプがあってもよい。複数のアンテナ１２５の利用は、ＵＥ１１０がＳＯＲＴＤ（Ｓｐａｔｉａｌ  Ｏｒｔｈｏｇｏｎａｌ  Ｒｅｓｏｕｒｃｅ  Ｔｒａｎｓｍｉｔ  Ｄｉｖｅｒｓｉｔｙ）、ＭＩＭＯ（Ｍｕｌｔｉｐｌｅ−Ｉｎｐｕｔ  Ｍｕｌｔｉｐｌｅ−Ｏｕｔｐｕｔ）又はＦＤ−ＭＩＭＯ（Ｆｕｌｌ−Ｄｉｍｅｎｓｉｏｎ  ＭＩＭＯ）などの送信ダイバーシチ技術を利用することを可能にする。
【００１５】
ある実施例では、送受信モジュール１３０は、ブロードバンドモジュールとして参照されうる通信モジュール１３７を有してもよく、それは、アンテナ１２５にＵＥ１１０から１つ以上の信号を送信させるよう構成される送信回路１４０と、アンテナ１２５により受信される信号を処理するよう構成される受信回路１４５との双方を有する。他の実施例では、通信モジュール１３７は、例えば、受信回路１４５を有する１つのチップと、送信回路１４０を有する他のチップとなど、別々のチップ又はモジュールにより実現されてもよい。いくつかの実施例では、送信又は受信信号は、ｅＮＢ１０５との間で送受信されるセルラ信号であってもよい。いくつかの実施例では、送受信モジュール１３０は、以下で更に詳細に説明されるように、１つ以上のＲＲＣ信号、ＲＬＭパラメータ又はチャネル品質パラメータを特定、生成又は解釈するためのＲＲＣ回路１２０を有するか、又は接続される。
【００１６】
ＵＥ１１０と同様に、ｅＮＢ１０５は送受信モジュール１５０を有してもよい。送受信モジュール１５０は更に、ＵＥ１１０などのネットワーク１００の他のコンポーネントと無線通信するため、ｅＮＢ１０５の複数のアンテナ１７５の１つ以上と接続される。アンテナ１７５は、図１に示されるように、送受信モジュール１５０のコンポーネントであってもよいし、又はｅＮＢ１０５の別のコンポーネントであってもよいパワーアンプ１６０により電力供給される。一実施例では、パワーアンプ１６０は、アンテナ１７５による全ての送信のための電力を提供する。他の実施例では、ｅＮＢ１０５上には複数のパワーアンプがあってもよい。複数のアンテナ１７５の利用は、ｅＮＢ１０５がＳＯＲＴＤ、ＭＩＭＯ又はＦＤ−ＭＩＭＯなどの送信ダイバーシチ技術を利用することを可能にする。ある実施例では、送受信モジュール１５０は、アンテナ１７５にｅＮＢ１０５から１つ以上の信号を送信させるよう構成される送信回路１６５と、アンテナ１７５により受信される信号を処理するための受信回路１７０との双方を有する。他の実施例では、送受信モジュール１５０は、互いに別々である送信回路１６５及び受信回路１７０と置換されてもよい（図示せず）。いくつかの実施例では、図示しないが、送受信モジュール１５０は、受信回路１７０及び送信回路１６５を有する通信モジュール１３７などの通信モジュールを有してもよい。いくつかの実施例では、ｅＮＢ１０５は、ＲＲＣ回路１２０と同様であってもよいＲＲＣ回路１１５を有する。例えば、ｅＮＢ１０５がＭｅＮＢである場合、ｅＮＢ１０５はＲＲＣ回路１１５を有してもよい。他の実施例では、例えば、ｅＮＢ１０５がＳｅＮＢである場合、ｅＮＢ１０５はＲＲＣ回路１１５を有さなくてもよい。
【００１７】
図２は、ネットワーク１００と同様であり、ＵＥ１１０及びＲＲＣ回路１２０と同様であってもよいＲＲＣ回路２１０を備えたＵＥ２０５を含むネットワーク２００の具体例を示す。ＵＥ２０５は、ｅＮＢ１０５及びＲＲＣ回路１１５と同様であってもよいＲＲＣ回路２２０を備えたＭｅＮＢ２１５と通信接続される。具体的には、ＵＥ２０５及びＭｅＮＢ２１５は、Ｕｕ無線リンク又は無線ベアラであってもよい無線リンク２３０を介し接続されてもよい。無線リンク２３０は、ＭｅＮＢ−ＵＥ無線リンクとして参照されてもよい。ＵＥ２０５は更に、ｅＮＢ１０５と同様であってもよいＳｅＮＢ２２５に接続される。ＵＥ２０５は、Ｕｕ無線リンク又は無線ベアラであってもよい無線リンク２３５を介しＳｅＮＢ２２５と接続される。無線リンク２３５は、ＳｅＮＢ−ＵＥ無線リンクとして参照される。ＳｅＮＢ２２５及びＭｅＮＢ２１５は、Ｘ２無線リンク又は無線ベアラであってもよい無線リンク２４０を介し接続される。無線リンク２４０は、ＭｅＮＢ−ＳｅＮＢ無線リンクとして参照されてもよい。
【００１８】
上述されるように、いくつかのケースでは、ＵＥ２０５又はＭｅＮＢ２１５の一方又は双方は、ＭｅＮＢ−ＵＥ無線リンク２３０の品質をモニタリングするよう構成される。しかしながら、従来のネットワークでは、ＳｅＮＢ−ＵＥ無線リンク２３５の品質をモニタリングするための代わりの機構はない。ここでのネットワーク２００の実施例では、ＳｅＮＢ２２５は、ＵＥ２０５によりＳｅＮＢ２２５に報告されるチャネル品質インジケータ（ＣＱＩ）値に基づき、ＳｅＮＢ−ＵＥ無線リンク２３５の品質をモニタリングするよう構成される。具体的には、ＳｅＮＢ２２５は、ＵＥ２０５からＣＱＩ値を受信し、報告された値とチャネル品質閾値とを比較するよう構成される。ＣＱＩ値がチャネル品質閾値を充たさない場合、ＳｅＮＢ２２５は、ＭｅＮＢ２１５と、特にＭｅＮＢ２１５のＲＲＣ回路２２０にＭｅＮＢ−ＳｅＮＢ無線リンク２４０を介し、ＳｅＮＢ−ＵＥ無線リンク２３５が不良であるか、又は低品質であるという通知を送信する。
【００１９】
図３は、ＳｅＮＢ−ＵＥ無線リンク２３５のチャネル品質をモニタリングするようＳｅＮＢ２２５により実行される処理を示す。まず、ＳｅＮＢ２２５は、３００において、ＵＥ２０５からチャネル品質パラメータを受信する。当該チャネル品質パラメータはＳｅＮＢ−ＵＥ無線リンク２３５に関連するものであってもよい。チャネル品質パラメータは、例えば、ＵＥ２０５により測定された１つ以上のＣＱＩ値であってもよい。いくつかの実施例では、チャネル品質パラメータは、以下でより詳細に説明されるように、ＳｅＮＢ−ＵＥ無線リンク２３５のチャネル品質が不良であるというＵＥ２０５からの通知であってもよい。
【００２０】
いくつかの実施例では、ＳｅＮＢ２２５は、任意的に３０５において、受信したチャネル品質パラメータとチャネル品質閾値とを比較する。具体的には、受信したチャネル品質パラメータがＣＱＩ値である場合、ＳｅＮＢ２２５は、受信したＣＱＩ値とチャネル品質閾値とを比較する。ＣＱＩ値がチャネル品質閾値以下である場合、ＳｅＮＢ２２５は、ＳｅＮＢ−ＵＥ無線リンク２３５のチャネル品質が不良であると特定する。
【００２１】
このとき、ＳｅＮＢ２２５は、３１０において、チャネル品質パラメータの通知をＭｅＮＢ２１５、具体的にはＭｅＮＢ２１５のＲＲＣ回路２２０に送信する。いくつかの実施例では、当該通知はＣＱＩ値自体であってもよい。いくつかの実施例では、当該通知は、ＳｅＮＢ−ＵＥ無線リンク２３５のチャネル品質がＣＱＩ値と閾値との比較に基づき不良であるというＳｅＮＢ２２５による特定結果であってもよい。いくつかの実施例では、当該通知は、以下でより詳細に説明されるように、ＳｅＮＢ−ＵＥ無線リンク２３５のチャネル品質が不良であるというＵＥ２０５からの通知であってもよい。例えば、当該通知は、ＵＥ２０５により開始された１つ以上のランダムアクセスチャネル（ＲＡＣＨ）処理に関連するものであってもよい。
【００２２】
いくつかの実施例では、ＭｅＮＢ２１５と、特にＭｅＮＢ２１５のＲＲＣ回路２２０は、ＳｅＮＢ−ＵＥ無線リンク２３５が比較的低いか、又は不良な品質であることを特定するよう構成される。具体的には、ＭｅＮＢ２１５は、ＳｅＮＢ−ＵＥ無線リンク２３５に関連する１つ以上のＣＱＩ値をＳｅＮＢ２２５から受信し、受信したＣＱＩ値とチャネル品質閾値とを比較する。受信したＣＱＩ値がチャネル品質閾値以下である場合、ＭｅＮＢ２１５、特にＲＲＣ回路２２０は、ＳｅＮＢ−ＵＥ無線リンク２３５が比較的低い又は不良な品質であると特定する。いくつかの実施例では、受信したダウンリンク（ＤＬ）ＣＱＩ値は、Ｘ２インタフェースを介しＭｅＮＢ２１５とＳｅＮＢ２２５との間で共有されてもよい。
【００２３】
図４は、ＭｅＮＢ２１５及び特にＭｅＮＢ２１５のＲＲＣ回路２２０などのＭｅＮＢにより実行可能な処理を示す。後述されるように、実施例では、ＲＲＣ回路２２０又はＭｅＮＢ２１５の回路の他のプロセッサが図４の処理の１つ以上の要素を実行してもよいが、当該処理は、ＭｅＮＢ２１５に関して全体的に説明される。
【００２４】
まず、ＭｅＮＢ２１５は、４００において、ＳｅＮＢ−ＵＥ無線リンク２３５に関連するチャネル品質パラメータの通知を受信する。実施例では、当該通知は、ＳｅＮＢ２２５から受信されてもよい。いくつかの実施例では、当該通知は、ＳｅＮＢ−ＵＥ無線リンク２３５のＣＱＩ値がチャネル品質閾値以下であるとしてＳｅＮＢ２２５により特定されたというＳｅＮＢ２２５による通知であってもよい。いくつかの実施例では、当該通知は、以下でより詳細に説明されるように、ＵＥ２０５がＳｅＮＢ−ＵＥ無線リンク２３５のチャネル品質を不良であると特定したという通知であってもよい。例えば、当該通知は、ＵＥ２０５により開始される１つ以上のＲＡＣＨ処理に関連するものであってもよい。いくつかの実施例では、当該通知は、ＵＥ２０５及び／又はＳｅＮＢ２２５により報告された１つ以上のＣＱＩ値であってもよく、上述されたような共有されたＤＬ  ＣＱＩ値を含むものであってもよい。
【００２５】
その後、４０５において、ＭｅＮＢ２１５は、ＳｅＮＢ−ＵＥ無線リンク２３５のチャネル品質がチャネル品質閾値以下であると特定する。実施例では、当該特定は、ＳｅＮＢ−ＵＥ無線リンク２３５のチャネル品質が不良であるとＳｅＮＢ２２５又はＵＥ２０５がすでに特定したというＳｅＮＢ２２５による通知に基づき実行されてもよい。いくつかの実施例では、当該特定は、ＭｅＮＢ２１５による受信したＣＱＩ値又は共有されたＤＬ  ＣＱＩ値とチャネル品質閾値との比較に基づくものであってもよい。
【００２６】
ＳｅＮＢ−ＵＥ無線リンク２３５が不良であるという特定に基づき、ＭｅＮＢは、４１０において、ＭｅＮＢ−ＵＥ無線リンク２３０を介しＵＥにＲＲＣコマンドを送信する。ＲＲＣコマンドは、例えば、ＳｅＮＢ２２５から切断し、ＳｅＮＢ−ＵＥ無線リンク２３５の１つ以上のパラメータを変更し、他のｅＮＢ（図示せず）と接続するようＵＥ２０５に指示するハンドオーバコマンド、又は他のコマンドなどであってもよい。いくつかの実施例では、ＭｅＮＢ２１５は、同様のＲＲＣコマンドをＳｅＮＢ２２５に送信してもよい。
【００２７】
いくつかの実施例では、ＵＥ２０５、特にＵＥ２０５のＲＲＣ回路２１０は、ＳｅＮＢ−ＵＥ無線リンク２３５の品質が不良であることを特定するよう構成される。後述されるように、当該処理及びリンク解析は、簡単化のため、ＵＥ２０５により実行されるものとして説明されるが、実施例では、各種処理及び解析は、ＲＲＣ回路２１０又はＵＥ２０５の他のプロセッサ、回路又はモジュールにより実行されてもよい。
【００２８】
実施例では、ＵＥ２０５は、ＵＥ２０５がＭｅＮＢ−ＵＥ無線リンク２３０をモニタリングする方法と同様の方法によりＳｅＮＢ−ＵＥ無線リンク２３５をモニタリングしてもよい。例えば、ＵＥ２０５は、１つ以上のＲＬＭパラメータを用いてＳｅＮＢ−ＵＥ無線リンク２３５をモニタリングしてもよい。いくつかの実施例では、ＲＬＭパラメータは、ＵＥ２０５がＭｅＮＢ−ＵＥ無線リンク２３０をモニタリングするＲＬＭパラメータと異なるものであってもよい。さらに、ＵＥ２０５は、１つ以上のタイマを利用して、ＳｅＮＢ−ＵＥ無線リンク２３５をモニタリングしてもよく、これらは、ＭｅＮＢ−ＵＥ無線リンク２３０をモニタリングするのに利用可能なタイマと異なるものであってもよい。
【００２９】
例えば、いくつかの実施例では、ＳｅＮＢ−ＵＥ無線リンク２３５のチャネル品質をモニタリングするため、新たなタイマがＵＥ２０５により利用されてもよい。他の実施例では、タイマ及び／又は定数は異なる名前を有してもよいが、いくつかの実施例では、タイマは“Ｔ３１０ｄ”及び“Ｔ３１１ｄ”と名付けられ、定数“Ｎ３１０ｄ”及び“Ｎ３１１ｄ”に基づくものであってもよい。いくつかの実施例では、タイマ及び／又は定数に関連するパラメータ又は値が、ＳｙｓｔｅｍＩｎｆｏｒｍａｔｉｏｎＢｌｏｃｋＴｙｐｅ２（ＳＩＢ２）メッセージにおいてＭｅＮＢ２１５によりシグナリングされてもよい。
【００３０】
いくつかの実施例では、ＵＥ２０５は、ＳｅＮＢ−ＵＥ無線リンク２３５の１つ以上のＣＱＩパラメータを定期的に測定してもよい。ＳｅＮＢ−ＵＥ無線リンク２３５の平均ＣＱＩが、Ｑｏｕｔとして参照されうる特定の閾値以下に低下した場合、ＵＥ２０５は、ＳｅＮＢ−ＵＥ無線リンク２３５のチャネル品質が不良であるという通知を生成してもよい。いくつかの実施例では、当該通知は、ＵＥ２０５がＳｅＮＢ２２５と同期されていないという通知であってもよい。ＵＥ２０５が、定数Ｎ３１０ｄに関連するか、又は等しい特定数の通知を生成した場合、ＵＥ２０５は、タイマＴ３１０ｄであってもよいし、又は関連するタイマを起動してもよい。
【００３１】
その後、ＳｅＮＢ−ＵＥ無線リンク２３５のワイドバンドＣＱＩ値、又は１００ミリ秒（ｍｓ）又は他の期間などのある期間におけるワイドバンドＣＱＩ値の平均が、Ｑｉｎｓとして参照されうる他の閾値を超過した場合、ＳｅＮＢ−ＵＥ無線リンク２３５のチャネル品質が十分であるという通知が生成されてもよい。ＵＥ２０５が、ＳｅＮＢ−ＵＥ無線リンク２３５のチャネル品質が十分であるという、定数Ｎ３１１ｄに関連するか、又は等しい特定数の通知を生成した場合、タイマＴ３１０ｄは停止され、無線リンクは回復したとみなされてもよい。そうでなく、タイマＴ３１０ｄが満了すると、タイマＴ３１１ｄなどの第２のタイマ及び１つ以上のＲＡＣＨ処理が開始されてもよい。ＲＡＣＨ処理は、例えば、ＭｅＮＢに転送するためのハンドオーバリクエストをＳｅＮＢ２２５に送信するなどを含むものであってもよい。いくつかの実施例では、ＵＥ２０５は、ＭｅＮＢ２１５に転送するため、ＳｅＮＢ−ＵＥ無線リンク２３５の不良なチャネル品質の通知をＳｅＮＢ２２５に送信してもよく、ＭｅＮＢ２１５は、上述されるように、ＳｅＮＢ−ＵＥ無線リンク２３５のパラメータを変更するため、ハンドオーバ手順又は他の手順を開始してもよい。
【００３２】
いくつかの実施例では、タイマＴ３１０ｄは、０ｍｓ、５０ｍｓ、１００ｍｓ、２００ｍｓ、５００ｍｓ、１０００ｍｓ、２０００ｍｓ又は他の値などの値を有してもよい。いくつかの実施例では、定数Ｎ３１０ｄは、１，２，３，４，６，８，１０，２０又は他の値などの値を有してもよい。いくつかの実施例では、タイマＴ３１１ｄは、１０００ｍｓ、３０００ｍｓ、５０００ｍｓ、１００００ｍｓ、１５０００ｍｓ、２００００ｍｓ、３００００ｍｓ又は他の値などの値を有してもよい。いくつかの実施例では、定数Ｎ３１１ｄは、１，２，３，４，５，６，８，１０又は他の値などの値を有してもよい。これらのタイマは、“ＵＥ−ｄ−ＴｉｍｅｒｓＡｎｄＣｏｎｓｔａｎｔｓ”又は他の名前として参照されうるＳＩＢ２の情報エレメント（ＩＥ）において指定されてもよい。
【００３３】
上述されたように、いくつかの実施例では、ＳｅＮＢ２２５及びＭｅＮＢ２１５のカバレッジは異なるものであってもよく、従って、タイマＴ３１０ｄ若しくはＴ３１１ｄ又は定数Ｎ３１０ｄ若しくはＮ３１１ｄなどのＳｅＮＢ−ＵＥ無線リンク２３５に関連するＲＬＭパラメータは、ＭｅＮＢ−ＵＥ無線リンク２３０に関連するＲＬＭパラメータと異なるものであってもよい。例えば、ＵＥ２０５は、マクロカバレッジにおいて１つのスモールセルから他のセルに移動可能である必要がある。このシナリオでは、タイマＴ３１０ｄ及び／又はＴ３１１ｄについてより短い値を有することは、ＵＥ２０５が第２のスモールセルとより迅速に通信接続することを助け、全体的なスループットを増加させる。
【００３４】
図５は、ＳｅＮＢ−ＵＥ無線リンク２３５のチャネル品質をモニタリングするためＵＥ２０５により利用される処理を示す。まず、ＵＥ２０５（又はＵＥ２０５のＲＲＣ回路２１０）は、５００において、ＳｅＮＢ−ＵＥ無線リンク２３５に関連するチャネル品質パラメータを生成する。上述されるように、チャネル品質パラメータは、ＳｅＮＢ−ＵＥ無線リンク２３５のチャネル品質が不良であるというＵＥ２０５による通知であってもよく、上述されたＲＬＭパラメータの１つ以上に基づくものであってもよい。他の実施例では、チャネル品質パラメータは、ＳｅＮＢ−ＵＥ無線リンク２３５のＣＱＩ値の測定結果に関連するものであってもよい。いくつかの実施例では、チャネル品質パラメータは、ＲＡＣＨ処理に関連するものであってもよく、例えば、ハンドオーバリクエスト又はＳｅＮＢ−ＵＥ無線リンク２３５のチャネル品質に関連する他のパラメータであってもよい。
【００３５】
その後、ＵＥ２０５は、５０５において、チャネル品質パラメータをＳｅＮＢ２２５に送信する。その後、ＳｅＮＢ２２５は、チャネル品質パラメータ又はチャネル品質パラメータの通知をＭｅＮＢ２１５にわたし、ＭｅＮＢ２１５は、次にＵＥ２０５に送信されるＲＲＣコマンドを生成する。従って、ＵＥ２０５は、５１０において、ＭｅＮＢ−ＵＥ無線リンク２３０を介しＭｅＮＢ２１５からＲＲＣコマンドを受信する。当該ＲＲＣコマンドは、ハンドオーバ処理又はＳｅＮＢ−ＵＥ無線リンク２３５のパラメータを変更するための他の処理に関連するものであってもよい。
【００３６】
本開示の実施例は、何れか適切なハードウェア及び／又はソフトウェアを用いて所望されるように構成されるシステムにおいて実現されてもよい。図６は、ここに説明された各種実施例を実践するのに利用される一例となるシステム６００を概略的に示す。図６は、一実施例では、１つ以上のプロセッサ６０５、プロセッサ６０５の少なくとも１つに接続されたシステム制御モジュール６１０、システム制御モジュール６１０に接続されたシステムメモリ６１５、システム制御モジュール６１０に接続された不揮発性メモリ（ＮＶＭ）／ストレージ６２０及びシステム制御モジュール６１０に接続された１つ以上の通信インタフェース６２５を有する一例となるシステム６００を示す。
【００３７】
いくつかの実施例では、システム６００は、ここに説明されるようなＵＥ１１０又は２０５として機能することが可能であってもよい。他の実施例では、システム６００は、ここに説明されるようなｅＮＢ１０５、ＳｅＮＢ２２５及び／又はＭｅＮＢ２１５として機能することが可能であってもよい。いくつかの実施例では、システム６００は、指令群又は命令群（ｉｎｓｔｒｃｕｔｉｏｎｓ）を有する１つ以上のコンピュータ可読媒体（例えば、システムメモリ又はＮＶＭ／ストレージ６２０）と、当該１つ以上のコンピュータ可読媒体に接続され、ここに説明されるアクションを実行するようモジュールを実現するための指令群を実行するよう構成される１つ以上のプロセッサ（例えば、プロセッサ６０５）とを有してもよい。
【００３８】
一実施例のシステム制御モジュール６１０は、プロセッサ６０５の少なくとも１つ及び／又はシステム制御モジュール６１０と通信する何れか適切なデバイス又はコンポーネントとの何れか適切なインタフェースを提供するのに適した何れかのインタフェースコントローラを有してもよい。
【００３９】
システム制御モジュール６１０は、システムメモリ６１５とのインタフェースを提供するためのメモリコントローラモジュール６３０を有してもよい。メモリコントローラモジュール６３０は、ハードウェアモジュール、ソフトウェアモジュール及び／又はファームウェアモジュールであってもよい。
【００４０】
システムメモリ６１５は、例えば、システムのためのデータ及び／又は命令群をロード及び記憶するのに利用されてもよい。一実施例のシステムメモリ６１５は、例えば、適切なＤＲＡＭなどの何れか適切な揮発性メモリを有してもよい。いくつかの実施例では、システムメモリ６１５は、ＤＤＲ４  ＳＤＲＡＭ（Ｄｏｕｂｌｅ  Ｄａｔａ  Ｒａｔｅ  Ｔｙｐｅ  Ｆｏｕｒ  Ｓｙｎｃｈｒｏｎｏｕｓ  Ｄｙｎａｍｉｃ  Ｒａｎｄｏｍ−Ａｃｃｅｓｓ  Ｍｅｍｏｒｙ）を有してもよい。
【００４１】
一実施例のシステム制御モジュール６１０は、ＮＶＭ／ストレージ６２０及び通信インタフェース６２５とのインタフェースを提供するための１つ以上の入出力（Ｉ／Ｏ）コントローラを有してもよい。
【００４２】
ＮＶＭ／ストレージ６２０は、例えば、データ及び／又は命令群を記憶するのに利用されてもよい。ＮＶＭ／ストレージ６２０は、例えば、フラッシュメモリなどの何れか適切な不揮発性メモリを有してもよく、及び／又は、例えば、１つ以上のハードディスクドライブ（ＨＤＤ）、１つ以上のコンパクトディスク（ＣＤ）ドライブ、及び／又は１つ以上のデジタル多用途ディスク（ＤＶＤ）ドライブなどの何れか適切な不揮発性記憶デバイスを有してもよい。いくつかの実施例では、ＮＶＭ／ストレージ６２０は、通信モジュール１３７と接続されてもよく、通信モジュール１３７は、受信した選択嗜好ルール又はチャネル品質の通知などのデータをＮＶＭ／ストレージ６２０に記憶するよう構成されてもよい。
【００４３】
ＮＶＭ／ストレージ６２０は、システム６００が必ずしもそうである必要はないが、デバイスの一部によりアクセス可能であるか、又はインストールされうるデバイスの記憶リソースの物理的部分を有してもよい。例えば、ＮＶＭ／ストレージ６２０は、通信インタフェース６２５を介しネットワークを通じてアクセスされてもよい。
【００４４】
通信インタフェース６２５は、システム６００が１つ以上のネットワーク及び／又は他の何れか適切なデバイスと通信するためのインタフェースを提供する。システム６００は、１つ以上の無線ネットワーク規格及び／又はプロトコルの何れかに従って無線ネットワークの１つ以上のコンポーネントと無線通信する。いくつかの実施例では、通信インタフェース６２５は、送受信モジュール１３０又は１５０を有してもよい。
【００４５】
一実施例では、プロセッサ６０５の少なくとも１つは、メモリコントローラモジュール６３０などのシステム制御モジュール６１０の１つ以上のコントローラのためのロジックと一緒にパッケージングされてもよい。一実施例では、プロセッサ６０５の少なくとも１つは、システム・イン・パッケージ（ＳｉＰ）を構成するため、システム制御モジュール６１０の１つ以上のコントローラのためのロジックと一緒にパッケージングされてもよい。一実施例では、プロセッサ６０５の少なくとも１つは、システム制御モジュール６１０の１つ以上のコントローラのためのロジックと同一ダイ上に一体化されてもよい。一実施例では、プロセッサ６０５の少なくとも１つは、システム・オン・チップ（ＳｏＣ）を構成するため、システム制御モジュール６１０の１つ以上のコントローラのためのロジックと同一ダイ上に一体化されてもよい。
【００４６】
いくつかの実施例では、プロセッサ６０５は、グラフィクスプロセッサ（ＧＰＵ）（図示せず）、デジタル信号プロセッサ（ＤＳＰ）（図示せず）、ワイヤレスモデム（図示せず）、デジタルカメラ若しくはマルチメディア回路（図示せず）、センサ回路（図示せず）、ディスプレイ回路（図示せず）及び／又はＧＰＳ（Ｇｌｏｂａｌ  Ｐｏｓｉｔｉｏｎｉｎｇ  Ｓａｔｅｌｌｉｔｅ）回路（図示せず）の１つ以上を有するか、又は接続されてもよい。
【００４７】
各種実施例では、システム６００は、限定されることなく、サーバ、ワークステーション、デスクトップ計算装置又はモバイル計算装置（例えば、ラップトップ計算装置、携帯計算装置、タブレット、ネットブック、スマートフォン、ゲーム端末など）であってもよい。各種実施例では、システム６００は、より多く又はより少ないコンポーネント及び／又は異なるアーキテクチャを有してもよい。例えば、いくつかの実施例では、システム６００は、カメラ、キーボード、液晶ディスプレイ（ＬＣＤ）画面（タッチ画面ディスプレイを含む）、不揮発性メモリポート、マルチアンテナ、グラフィクスチップ、特定用途向け集積回路（ＡＳＩＣ）及びスピーカの１つ以上を有する。
［具体例］
具体例１は、ユーザ装置（ＵＥ）であって、当該ＵＥが第１の無線リンクを介し通信接続されるセカンダリｅｖｏｌｖｅｄ  ＮｏｄｅＢ（ＳｅＮＢ）とＵＥとの間の第１の無線リンクに関するチャネル品質パラメータの通知を生成する無線リソース制御（ＲＲＣ）回路と、ＲＲＣ回路と接続され、ＳｅＮＢにメッセージを送信し、当該メッセージは、第１の無線リンクと同時にＵＥとマスタｅＮＢ（ＭｅＮＢ）との間の第２の無線リンクを介し通信接続されるＭｅＮＢを対象とし、チャネル品質パラメータの通知を含む送信回路とを有するＵＥを有してもよい。
【００４８】
具体例２は、ＳｅＮＢは第１のセルカバレッジエリアを有し、ＭｅＮＢは第１のセルカバレッジエリアと少なくとも部分的に異なる第２のセルカバレッジエリアを有する、請求項１のＵＥを有してもよい。
【００４９】
具体例３は、通知が第１の無線リンクに関連し、第２の無線リンクに関連する無線リンクモニタリング（ＲＬＭ）パラメータと異なるＲＬＭパラメータに基づく、請求項１のＵＥを有してもよい。
【００５０】
具体例４は、通知が第１の無線リンクに関連し、第２の無線リンクに関連するタイマと異なるタイマに基づく、請求項１のＵＥを有してもよい。
【００５１】
具体例５は、ＲＲＣ回路と接続され、第２の無線リンクを介し第２のｅＮＢから、チャネル品質パラメータの通知に基づきＲＲＣメッセージを受信する受信回路を更に有する、請求項１〜４の何れかのＵＥを有してもよい。
【００５２】
具体例６は、ＲＲＣ回路と接続される不揮発性メモリ（ＮＶＭ）を更に有する、請求項１〜４の何れかのＵＥを有してもよい。
【００５３】
具体例７は、セカンダリｅｖｏｌｖｅｄ  ＮｏｄｅＢ（ＳｅＮＢ）が、第１の無線リンクを介しＳｅＮＢに通信接続されるユーザ装置（ＵＥ）から第１の無線リンクの品質に関連するパラメータを受信し、ＳｅＮＢが、第１の無線リンクを同時に第２の無線リンクを介しＵＥと通信接続されるマスタｅＮＢ（ＭｅＮＢ）にパラメータの通知を送信することを有する方法を有してもよい。
【００５４】
具体例８は、ＳｅＮＢは第１のセルカバレッジエリアを有し、ＭｅＮＢは第１のセルカバレッジエリアと少なくとも部分的に異なる第２のセルカバレッジエリアを有する、請求項７の方法を有してもよい。
【００５５】
具体例９は、パラメータが第１の無線リンクに関連し、第２の無線リンクに関連する第２のタイマと異なる第１のタイマに基づく、請求項７又は８の方法を有してもよい。
【００５６】
具体例１０は、パラメータが第１の無線リンクに関連し、第２の無線リンクに関連する第２の無線リンクモニタリング（ＲＬＭ）パラメータと異なる第１のＲＬＭパラメータに基づく、請求項７又は８の方法を有してもよい。
【００５７】
具体例１１は、パラメータがＵＥにより測定されたチャネル品質インジケータ（ＣＱＩ）値である、請求項７又は８の方法を有してもよい。
【００５８】
具体例１２は、通知がＵＥにより測定されたチャネル品質インジケータ（ＣＱＩ）値とチャネル品質閾値とのＳｅＮＢによる比較に基づく、請求項１１の方法を有してもよい。
【００５９】
具体例１３は、通知がＵＥにより測定されるＣＱＩ値である、請求項１１の方法を有してもよい。
【００６０】
具体例１４は、ｅｖｏｌｖｅｄ  ＮｏｄｅＢ（ｅＮＢ）であって、ユーザ装置（ＵＥ）がまた第２の無線リンクを介しｅＮＢと通信接続されるとき、第１の無線リンクを介し通信接続されるＵＥとリモートｅＮＢとの間の第１の無線リンクに関連するチャネル品質パラメータの通知をリモートｅＮＢから受信する受信回路と、受信回路に接続され、当該通知に基づきチャネル品質閾値以下の第１の無線リンクのチャネル品質を特定する無線リソース制御（ＲＲＣ）回路とを有するｅＮＢを有してもよい。
【００６１】
具体例１５は、ＲＲＣ回路に接続され、第１の無線リンクのチャネル品質がチャネル品質閾値以下である場合、ハンドオーバコマンドを第２の無線リンクを介しＵＥに送信する送信回路を更に有する、請求項１４のｅＮＢを有してもよい。
【００６２】
具体例１６は、ｅＮＢがマスタｅＮＢ（ＭｅＮＢ）であり、リモートｅＮＢがセカンダリｅＮＢ（ＳｅＮＢ）である、請求項１４又は１５のｅＮＢを有してもよい。
【００６３】
具体例１７は、ＳｅＮＢは第１のセルカバレッジエリアを有し、ＭｅＮＢは第１のセルカバレッジエリアと少なくとも部分的に異なる第２のセルカバレッジエリアを有する、請求項１６のｅＮＢを有してもよい。
【００６４】
具体例１８は、チャネル品質パラメータが、第１の無線リンクに関連し、第２の無線リンクに関連する第２のタイマと異なる第１のタイマに基づくか、又はチャネル品質パラメータが、第１の無線リンクに関連し、第２の無線リンクに関連する第２の無線リンクモニタリング（ＲＬＭ）パラメータと異なる第１のＲＬＭパラメータに基づく、請求項１４又は１５のｅＮＢを有してもよい。
【００６５】
具体例１９は、チャネル品質パラメータは、ＵＥにより測定されたチャネル品質インジケータ（ＣＱＩ）値であり、チャネル品質閾値は、ｅＮＢのチャネル品質閾値である、請求項１４又は１５のｅＮＢを有してもよい。
【００６６】
具体例２０は、チャネル品質閾値は、リモートｅＮＢのチャネル品質閾値であり、通知は、ＵＥにより測定されるチャネル品質インジケータ（ＣＱＩ）値とチャネル品質閾値とのリモートｅＮＢによる比較に基づく、請求項１４又は１５のｅＮＢを有してもよい。
【００６７】
具体例２１は、セカンダリｅｖｏｌｖｅｄ  ＮｏｄｅＢ（ＳｅＮＢ）であって、第１の無線リンクを介しＳｅＮＢに通信接続されるユーザ装置（ＵＥ）から、第１の無線リンクの品質に関連するパラメータを受信する手段と、第１の無線リンクと同時に第２の無線リンクを介しＵＥに通信接続されるマスタｅＮＢ（ＭｅＮＢ）にパラメータの通知を送信する手段とを有するＳｅＮＢを有してもよい。
【００６８】
具体例２２は、ＳｅＮＢが第１のセルカバレッジエリアを有し、ＭｅＮＢが第１のセルカバレッジエリアと少なくとも部分的に異なる第２のセルカバレッジエリアを有する、請求項２１のＳｅＮＢを有してもよい。
【００６９】
具体例２３は、パラメータが第１の無線リンクに関連し、第２の無線リンクに関連する第２のタイマと異なる第１のタイマに基づく、請求項２１又は２２のＳｅＮＢを有してもよい。
【００７０】
具体例２４は、パラメータが第１の無線リンクに関連し、第２の無線リンクに関連する第２の無線リンクモニタリング（ＲＬＭ）パラメータと異なる第１のＲＬＭパラメータに基づく、請求項２１又は２２のＳｅＮＢを有してもよい。
【００７１】
具体例２５は、パラメータがＵＥにより測定されるチャネル品質インジケータ（ＣＱＩ）値である、請求項２１又は２２のＳｅＮＢを有してもよい。
【００７２】
具体例２６は、通知が、ＵＥにより測定されたチャネル品質インジケータ（ＣＱＩ）値とチャネル品質閾値との比較に基づく、請求項２１又は２２のＳｅＮＢを有してもよい。
【００７３】
具体例２７は、通知がＵＥにより測定されたＣＱＩ値である、請求項２５のＳｅＮＢを有してもよい。
【００７４】
具体例２８は、セカンダリｅｖｏｌｖｅｄ  ＮｏｄｅＢ（ＳｅＮＢ）の１つ以上のプロセッサによる命令群の実行によって、第１の無線リンクを介しＳｅＮＢに通信接続されるユーザ装置（ＵＥ）から、第１の無線リンクの品質に関連するパラメータを受信し、第１の無線リンクと同時に第２の無線リンクを介しＵＥに通信接続されるマスタｅＮＢ（ＭｅＮＢ）にパラメータの通知を送信することをＳｅＮＢに実行させる指令を有する１つ以上の非一時的なコンピュータ可読媒体を有してもよい。
【００７５】
具体例２９は、ＳｅＮＢが第１のセルカバレッジエリアを有し、ＭｅＮＢが第１のセルカバレッジエリアと少なくとも部分的に異なる第２のセルカバレッジエリアを有する、請求項２８の１つ以上の非一時的なコンピュータ可読媒体を有してもよい。
【００７６】
具体例３０は、パラメータが第１の無線リンクに関連し、第２の無線リンクに関連する第２のタイマと異なる第１のタイマに基づく、請求項２８又は２９の１つ以上の非一時的なコンピュータ可読媒体を有してもよい。
【００７７】
具体例３１は、パラメータが第１の無線リンクに関連し、第２の無線リンクに関連する第２の無線リンクモニタリング（ＲＬＭ）パラメータと異なる第１のＲＬＭパラメータに基づく、請求項２８又は２９の１つ以上の非一時的なコンピュータ可読媒体を有してもよい。
【００７８】
具体例３２は、パラメータがＵＥにより測定されるチャネル品質インジケータ（ＣＱＩ）値である、請求項２８又は２９の１つ以上の非一時的なコンピュータ可読媒体を有してもよい。
【００７９】
具体例３３は、通知が、ＵＥにより測定されたチャネル品質インジケータ（ＣＱＩ）値とチャネル品質閾値との比較に基づく、請求項３２の１つ以上の非一時的なコンピュータ可読媒体を有してもよい。
【００８０】
具体例３４は、通知がＵＥにより測定されたＣＱＩ値である、請求項３２の１つ以上の非一時的なコンピュータ可読媒体を有してもよい。
【００８１】
具体例３５は、マスタｅｖｏｌｖｅｄ  ＮｏｄｅＢ（ＭｅＮＢ）がセカンダリｅＮＢ（ＳｅＮＢ）から、ユーザ装置（ＵＥ）が第２の無線リンクを介しＭｅＮＢと通信接続されるとき、第１の無線リンクを介し通信接続されるＵＥとＳｅＮＢとの間の第１の無線リンクに関連するチャネル品質パラメータの通知を受信し、ＭｅＮＢが、当該通知に基づき第１の無線リンクのチャネル品質がチャネル品質閾値以下であると特定することを有する方法を有してもよい。
【００８２】
具体例３６は、第１の無線リンクのチャネル品質がチャネル品質閾値以下である場合、第２の無線リンクを介しＵＥにハンドオーバコマンドを送信することを更に有する、請求項３５の方法を有してもよい。
【００８３】
具体例３７は、ＳｅＮＢは第１のセルカバレッジエリアを有し、ＭｅＮＢは第１のセルカバレッジエリアと少なくとも部分的に異なる第２のセルカバレッジエリアを有する、請求項３５又は３６の方法を有してもよい。
【００８４】
具体例３８は、チャネル品質パラメータが、第１の無線リンクに関連し、第２の無線リンクに関連する第２のタイマと異なる第１のタイマに基づくか、又はチャネル品質パラメータが、第１の無線リンクに関連し、第２の無線リンクに関連する第２の無線リンクモニタリング（ＲＬＭ）パラメータと異なる第１のＲＬＭパラメータに基づく、請求項３５又は３６の方法を有してもよい。
【００８５】
具体例３９は、チャネル品質パラメータは、ＵＥにより測定されたチャネル品質インジケータ（ＣＱＩ）値であり、チャネル品質閾値は、ＭｅＮＢのチャネル品質閾値である、請求項３５又は３６の方法を有してもよい。
【００８６】
具体例４０は、チャネル品質閾値は、ＳｅＮＢのチャネル品質閾値であり、通知は、ＵＥにより測定されるチャネル品質インジケータ（ＣＱＩ）値とチャネル品質閾値とのＳｅＮＢによる比較に基づく、請求項３５又は３６の方法を有してもよい。
【００８７】
具体例４１は、マスタｅｖｏｌｖｅｄ  ＮｏｄｅＢ（ＭｅＮＢ）であって、セカンダリｅＮＢ（ＳｅＮＢ）から、ユーザ装置（ＵＥ）が第２の無線リンクを介しＭｅＮＢに通信接続されるとき、第１の無線リンクを介し通信接続されるユーザ装置（ＵＥ）とＳｅＮＢとの間の第１の無線リンクに関連するチャネル品質パラメータの通知を受信する手段と、当該通知に基づき第１の無線リンクのチャネル品質がチャネル品質閾値以下であることを特定する手段とを有するＭｅＮＢを有してもよい。
【００８８】
具体例４２は、第１の無線リンクのチャネル品質がチャネル品質閾値以下である場合、第２の無線リンクを介しＵＥにハンドオーバコマンドを送信する手段を更に有する、請求項４１のＭｅＮＢを有してもよい。
【００８９】
具体例４３は、ＳｅＮＢは第１のセルカバレッジエリアを有し、ＭｅＮＢは第１のセルカバレッジエリアと少なくとも部分的に異なる第２のセルカバレッジエリアを有する、請求項４１又は４２のＭｅＮＢを有してもよい。
【００９０】
具体例４４は、チャネル品質パラメータが、第１の無線リンクに関連し、第２の無線リンクに関連する第２のタイマと異なる第１のタイマに基づくか、又はチャネル品質パラメータが、第１の無線リンクに関連し、第２の無線リンクに関連する第２の無線リンクモニタリング（ＲＬＭ）パラメータと異なる第１のＲＬＭパラメータに基づく、請求項４１又は４２のＭｅＮＢを有してもよい。
【００９１】
具体例４５は、チャネル品質パラメータは、ＵＥにより測定されたチャネル品質インジケータ（ＣＱＩ）値であり、チャネル品質閾値は、ＭｅＮＢのチャネル品質閾値である、請求項４１又は４２のＭｅＮＢを有してもよい。
【００９２】
具体例４６は、チャネル品質閾値は、ＳｅＮＢのチャネル品質閾値であり、通知は、ＵＥにより測定されるチャネル品質インジケータ（ＣＱＩ）値とチャネル品質閾値とのＳｅＮＢによる比較に基づく、請求項４１又は４２のＭｅＮＢを有してもよい。
【００９３】
具体例４７は、マスタｅｖｏｌｖｅｄ  ＮｏｄｅＢ（ＭｅＮＢ）の１つ以上のプロセッサによる命令群の実行によって、セカンダリｅＮＢ（ＳｅＮＢ）から、ユーザ装置（ＵＥ）が第２の無線リンクを介しＭｅＮＢに通信接続されるとき、第１の無線リンクを介し通信接続されるユーザ装置（ＵＥ）とＳｅＮＢとの間の第１の無線リンクに関連するチャネル品質パラメータの通知を受信し、当該通知に基づき第１の無線リンクのチャネル品質がチャネル品質閾値以下であることを特定することをＭｅＮＢに実行させる指令を有する１つ以上の非一時的なコンピュータ可読媒体を有してもよい。
【００９４】
具体例４８は、第１の無線リンクのチャネル品質がチャネル品質閾値以下である場合、第２の無線リンクを介しＵＥにハンドオーバコマンドを送信する指令を更に有する、請求項４７の１つ以上の非一時的なコンピュータ可読媒体を有してもよい。
【００９５】
具体例４９は、ＳｅＮＢは第１のセルカバレッジエリアを有し、ＭｅＮＢは第１のセルカバレッジエリアと少なくとも部分的に異なる第２のセルカバレッジエリアを有する、請求項４７又は４８の１つ以上の非一時的なコンピュータ可読媒体を有してもよい。
【００９６】
具体例５０は、チャネル品質パラメータが、第１の無線リンクに関連し、第２の無線リンクに関連する第２のタイマと異なる第１のタイマに基づくか、又はチャネル品質パラメータが、第１の無線リンクに関連し、第２の無線リンクに関連する第２の無線リンクモニタリング（ＲＬＭ）パラメータと異なる第１のＲＬＭパラメータに基づく、請求項４７又は４８の１つ以上の非一時的なコンピュータ可読媒体を有してもよい。
【００９７】
具体例５１は、チャネル品質パラメータは、ＵＥにより測定されたチャネル品質インジケータ（ＣＱＩ）値であり、チャネル品質閾値は、ＭｅＮＢのチャネル品質閾値である、請求項４７又は４８の１つ以上の非一時的なコンピュータ可読媒体を有してもよい。
【００９８】
具体例５２は、チャネル品質閾値は、ＳｅＮＢのチャネル品質閾値であり、通知は、ＵＥにより測定されるチャネル品質インジケータ（ＣＱＩ）値とチャネル品質閾値とのＳｅＮＢによる比較に基づく、請求項４７又は４８の１つ以上の非一時的なコンピュータ可読媒体を有してもよい。
【００９９】
特定の実施例が説明のためここに図示及び説明されたが、本出願は、ここに説明された実施例の何れかの適応及び変形をカバーすることが意図される。従って、ここに説明される実施例は請求項によってのみ限定されることが明らかに意図される。
【０１００】
開示が“ある”又は“第１の”要素又はそれの均等について記載している場合、このような開示は当該要素の１つ以上を含み、当該要素が２つ以上のであることを必要とせず、また排除しない。さらに、特定された要素の序数のインジケータ（例えば、第１、第２又は第３）が要素間で区別するのに用いられ、当該要素の必要数又は限定数を示さず、又は意味せず、それらは特段の断りがない場合、当該要素の特定の位置又は順序を示さない。
【図１】
0006330037.tif 000002
【図２】
0006330037.tif 000003
【図３】
0006330037.tif 000004
【図４】
0006330037.tif 000005
【図５】
0006330037.tif 000006
【図６】
0006330037.tif 000007